(57)【特許請求の範囲】
【請求項１】
中心軸線回りに回転可能な回転筒内に加熱管が配設されて、上記回転筒内の一端部側に供給した被乾燥物を乾燥しつつ他端部側から排出するとともに、上記回転筒内に供給されたキャリアガスによって上記被乾燥物から蒸発した液分を排出する、第１、第２の間接加熱型回転乾燥機を備え、上記第１の間接加熱型回転乾燥機における上記回転筒の他端部側から排出された上記被乾燥物を上記第２の間接加熱型回転乾燥機における上記回転筒の一端部側に供給してさらに乾燥する間接加熱乾燥装置であって、
上記第２の間接加熱型回転乾燥機における上記回転筒内には上記キャリアガスとして低酸素濃度ガスが供給される一方、上記第１の間接加熱型回転乾燥機における上記回転筒内には上記キャリアガスとして大気が供給されることを特徴とする間接加熱乾燥装置。
【請求項２】
上記第１の間接加熱型回転乾燥機における上記回転筒の他端部と上記第２の間接加熱型回転乾燥機における上記回転筒の一端部との間は接続手段によって接続されており、この接続手段が低酸素濃度ガスによってパージされていることを特徴とする請求項１に記載の間接加熱乾燥装置。
【請求項３】
上記第２の間接加熱型回転乾燥機から排出された上記キャリアガスは該第２の間接加熱型回転乾燥機の上記回転筒に循環させられる一方、上記第１の間接加熱型回転乾燥機に供給する上記キャリアガスは大気から吸引され、該第１の間接加熱型回転乾燥機から排出された上記キャリアガスは大気中に放出されることを特徴とする請求項１または請求項２に記載の間接加熱乾燥装置。
【請求項４】
上記第１の間接加熱型回転乾燥機の上記回転筒内における上記キャリアガスの流れが、該第１の間接加熱型回転乾燥機における上記被乾燥物の搬送方向に沿った並流であることを特徴とする請求項１から請求項３のうちいずれか一項に記載の間接加熱乾燥装置。
【請求項５】
上記第２の間接加熱型回転乾燥機における上記加熱管の伝熱面積が、上記第１の間接加熱型回転乾燥機における上記加熱管の伝熱面積よりも小さいことを特徴とする請求項１から請求項４のうちいずれか一項に記載の間接加熱乾燥装置。
【請求項６】
上記第２の間接加熱型回転乾燥機に供給される上記キャリアガスの供給量が、上記第１の間接加熱型回転乾燥機に供給される上記キャリアガスの供給量よりも少ないことを特徴とする請求項１から請求項５のうちいずれか一項に記載の間接加熱乾燥装置。
【請求項７】
請求項１から請求項６のうちいずれか一項に記載の間接加熱乾燥装置により、上記被乾燥物として低品位炭を乾燥する低品位炭の乾燥方法であって、
上記低品位炭を、上記第１の間接加熱型回転乾燥機によって限界含水率に向けて恒率乾燥し、次いで上記第２の間接加熱型回転乾燥機によって限界含水率以下に減率乾燥することを特徴とする低品位炭の乾燥方法。
【発明の詳細な説明】
【技術分野】
【０００１】
本発明は、スチームチューブドライヤのような間接加熱型回転乾燥機を少なくとも２機直列に接続して前段の第１の間接加熱型回転乾燥機によって乾燥した被乾燥物を後段の第２の間接加熱型回転乾燥機によってさらに乾燥する間接加熱乾燥装置、および該間接加熱乾燥装置により上記被乾燥物として低品位炭を乾燥する低品位炭の乾燥方法に関するものである。
【背景技術】
【０００２】
水分含有率が一般的に１０〜７０重量％と高い褐炭や亜瀝青炭等の低品位炭の乾燥に当たっては、その発火性、粉塵爆発性の抑止のため、加熱源温度が低い、蒸気を使用したスチームチューブドライヤのような間接加熱型回転乾燥機を用いることが知られている。ここで、本発明の発明者等は、上述のように第１、第２の間接加熱型回転乾燥機を直列に接続した間接加熱乾燥装置として、被乾燥物から蒸発した液分を排出するキャリアガスを、第１の間接加熱型回転乾燥機においては被乾燥物の流れに対して並流に、第２の間接加熱型回転乾燥機においては向流に供給するようにしたものを、特許文献１において提案している。
【０００３】
このような間接加熱乾燥装置によれば、第１の間接加熱型回転乾燥機においてはダストの発生を抑制できるとともに、被乾燥物とキャリアガスの入口側では加熱管への被乾燥物の付着が生じ難く、また被乾燥物とキャリアガスの出口側では結露が発生し難い。一方、第２の間接加熱型回転乾燥機においては、被乾燥物の入口側つまりキャリアガスの出口側では結露や付着が生じ難くなるとともに機外に排出されるダストが少なくなり、また被乾燥物の出口側つまりキャリアガスの入口側ではキャリアガスの露点が低いために減率乾燥を進めるのに好適である。
【先行技術文献】
【特許文献】
【０００４】
【特許文献１】特開２００９−０９７７８３号公報
【発明の概要】
【発明が解決しようとする課題】
【０００５】
ところで、この特許文献１には、被乾燥物が褐炭のような可燃性物質である場合には、上記キャリアガスとして窒素ガスを使用すると記載されており、第１、第２の間接加熱型回転乾燥機の双方に窒素ガスをキャリアガスとして循環させて供給することにより、これら第１、第２の間接加熱型回転乾燥機における全乾燥工程において被乾燥物から蒸発した液分を排出している。しかしながら、そのような間接加熱乾燥装置では、窒素ガスの循環風量が多くなってしまうため、設備運転に要するエネルギーや運転コストが増大するとともに、比較的大きな循環供給設備が必要となって設備コストも増大してしまうことが避けられない。
【０００６】
本発明は、このような背景の下になされたもので、このような運転エネルギーや運転コスト、設備コストの低減を図ることが可能な効率的な間接加熱乾燥装置を提供するとともに、該間接加熱乾燥装置を用いた安全な低品位炭の乾燥方法を提供することを目的としている。
【課題を解決するための手段】
【０００７】
上記課題を解決して、このような目的を達成するため、本発明の間接加熱乾燥装置は、中心軸線回りに回転可能な回転筒内に加熱管が配設されて、上記回転筒内の一端部側に供給した被乾燥物を乾燥しつつ他端部側から排出するとともに、上記回転筒内に供給されたキャリアガスによって上記被乾燥物から蒸発した液分を排出する、第１、第２の間接加熱型回転乾燥機を備え、上記第１の間接加熱型回転乾燥機における上記回転筒の他端部側から排出された上記被乾燥物を上記第２の間接加熱型回転乾燥機における上記回転筒の一端部側に供給してさらに乾燥する間接加熱乾燥装置であって、上記第２の間接加熱型回転乾燥機における上記回転筒内には上記キャリアガスとして低酸素濃度ガスが供給される一方、上記第１の間接加熱型回転乾燥機における上記回転筒内には上記キャリアガスとして大気が供給されることを特徴とする。
【０００８】
また、本発明の低品位炭の乾燥方法は、このような間接加熱乾燥装置により、上記被乾燥物として低品位炭を乾燥する低品位炭の乾燥方法であって、上記低品位炭を、上記第１の間接加熱型回転乾燥機によって限界含水率に向けて恒率乾燥し、次いで上記第２の間接加熱型回転乾燥機によって限界含水率以下に減率乾燥することを特徴とする。
【０００９】
上述のように構成された間接加熱乾燥装置および低品位炭の乾燥方法において、第１の間接加熱型回転乾燥機によって乾燥させられた被乾燥物がさらに間接加熱される後段の第２の間接加熱型回転乾燥機では、特許文献１に記載された間接加熱乾燥装置と同様にキャリアガスとして窒素ガスのような低酸素濃度ガスが供給されるため、被乾燥物の発火等をこの低酸素濃度ガスによって防ぐことができる。
【００１０】
その一方で、水分含有率が高くて発火等のおそれの少ない被乾燥物が供給される前段の第１の間接加熱型回転乾燥機では、恒率乾燥期から減率乾燥期に推移するときの含水率である限界含水率より高い水分含有率での乾燥にとどめ、キャリアガスとして大気を供給することにより、低酸素濃度ガスの供給設備を要することなく蒸発した液分を排出することができる。従って、被乾燥物が低品位炭であっても安全に乾燥しつつ、間接加熱乾燥装置全体として運転に要するエネルギーや運転コスト、設備コストの低減を図ることが可能となる。
【００１１】
ここで、上記第１の間接加熱型回転乾燥機における上記回転筒の他端部と上記第２の間接加熱型回転乾燥機における上記回転筒の一端部との間を、コンベア等の移送手段やホッパー等の一時貯留手段、あるいはハンマークラッシャー等の破砕手段のような接続手段によって接続する場合には、このような接続手段における被乾燥物の発火等を防ぐため、この接続手段は低酸素濃度ガスによってパージされるのが望ましい。
【００１２】
また、上記第２の間接加熱型回転乾燥機から排出された低酸素濃度ガスよりなる上記キャリアガスは、バグフィルタ等により除塵した後に必要に応じて除湿してから該第２の間接加熱型回転乾燥機の上記回転筒に循環するのが効率的である。その一方で、上記第１の間接加熱型回転乾燥機から排出された大気（空気）よりなる上記キャリアガスは、やはり除塵等を施した後に大気中に放出し、該第１の間接加熱型回転乾燥機に供給するキャリアガスは別途大気から吸引することにより、第１の間接加熱型回転乾燥機では排出されるキャリアガスの除湿を行う必要がなくなって、運転エネルギーや運転コスト、設備コストの一層の削減を図ることができる。また、第１の間接加熱型回転乾燥機の回転筒内におけるキャリアガスの流れを、該第１の間接加熱型回転乾燥機における被乾燥物の搬送方向に沿った並流とすることにより、被乾燥物の乾燥が進行する搬送方向に向けて第１の間接加熱型回転乾燥機のキャリアガスの水分含有率を上昇させることができるので、発火等を一層効果的に防止することが可能となる。
【００１３】
さらに、第１、第２の少なくとも２つの間接加熱型回転乾燥機を備えることにより、個々の間接加熱型回転乾燥機は小型化を図ることができて、さらに設備コストや運転コストを低減することができる。そして、このうち後段の第２の間接加熱型回転乾燥機における乾燥は減率乾燥期であって液分（水分）の蒸発量が少なくなるので、上記第２の間接加熱型回転乾燥機における加熱管の伝熱面積を、上記第１の間接加熱型回転乾燥機における加熱管の伝熱面積よりも小さくしたり、上記第２の間接加熱型回転乾燥機に供給される上記キャリアガスの供給量を、上記第１の間接加熱型回転乾燥機に供給される上記キャリアガスの供給量よりも少なくしたりすることができ、これにより、この第２の間接加熱型回転乾燥機においても運転エネルギーや運転コスト、設備コストを低減し、間接加熱乾燥装置全体としての同エネルギーやコストのより一層の低減を図ることが可能となる。
【発明の効果】
【００１４】
以上説明したように、本発明によれば、第１の間接加熱型回転乾燥機においては低酸素濃度ガスの供給や循環を要することがなく、間接加熱乾燥装置全体としての運転エネルギーや運転コスト、設備コストを削減することができるとともに、被乾燥物が低品位炭のような可燃性物質であっても発火等を防いで安全に乾燥することが可能となる。
【図面の簡単な説明】
【００１５】
【図１】本発明の間接加熱乾燥装置の一実施形態を示す概略図である。
【発明を実施するための形態】
【００１６】
図１は、本発明の間接加熱乾燥装置の一実施形態を示す概略図である。本実施形態の間接加熱乾燥装置は、被乾燥物Ｗを乾燥する第１、第２の２つの間接加熱型回転乾燥機（以下、単に乾燥機と称する。）１、２を備えている。ここで、本実施形態の間接加熱乾燥装置によって乾燥させられる被乾燥物Ｗは、水分含有率が一般的に１０〜７０重量％と高い褐炭や亜瀝青炭等の低品位炭であり、粒径は２〜５０ｍｍ程度である。
【００１７】
さらに、これら第１、第２の乾燥機１、２は、特許文献１に記載された間接加熱乾燥装置における乾燥機と同様のスチームチューブドライヤである。すなわち、第１、第２の乾燥機１、２はいずれも、略水平な中心軸線回りに回転可能な円筒状の回転筒３内の内壁面に図示されない複数本の加熱管が上記中心軸線に平行に配設されたものであり、各回転筒３の一端（図１における左端）部にはスクリュウコンベア等の供給手段４が、また他端（図１における右端）部には排出ケーシング等の排出手段５が、それぞれ回転可能な回転筒３に対して非回転かつ気密に設けられている。
【００１８】
このような乾燥機１、２は、供給手段４によって回転筒３の一端部側から該回転筒３内に供給された被乾燥物Ｗを、図示されない蒸気供給源から上記加熱管内に供給される１５０℃〜２３０℃程度の高温の蒸気によって加熱して乾燥しつつ、回転筒３の回転により他端部側に搬送して排出手段５から排出する。また、加熱によって被乾燥物Ｗから蒸発した液分（水分）は、回転筒３内に供給される第１、第２のキャリアガスＧ１、Ｇ２によって排出される。
【００１９】
このうち第１の乾燥機１における排出手段５は、図１に示すようなコンベア等の移送手段、あるいは図示されないホッパー等の一時貯留手段やハンマークラッシャー等の破砕手段を備えた接続手段６を介して、第２の乾燥機２における供給手段４に接続されている。なお、この接続手段６も、第１の乾燥機１における回転筒３の他端部側の排出手段５から第２の乾燥機２における回転筒３の一端部側の供給手段４に亙って気密に保持される。また、第１の乾燥機１の供給手段４には装入筒７を介してスクリュウコンベア等の被乾燥物Ｗの給装手段８が接続される一方、第２の乾燥機２の排出手段５にはコンベア等の搬出手段９が接続されている。
【００２０】
従って、本実施形態においても、第１、第２の乾燥機１、２は直列的に配置され、第１の乾燥機１における回転筒３の他端部側から排出された被乾燥物Ｗが、第２の乾燥機２における回転筒３の一端部側に供給されてさらに乾燥させられる。こうして乾燥させられた被乾燥物Ｗの水分含有率は、例えば第１の乾燥機１によって３重量％以上、好ましくは６〜８重量％の限界含水率にまで低減され、さらに第２の乾燥機によって１重量％以下程度にまで低減される。
【００２１】
一方、これら第１、第２の乾燥機１、２の回転筒３内に供給される上記第１、第２のキャリアガスＧ１、Ｇ２は、互いに独立した供給経路を経て供給される。このうち、第２の乾燥機２に供給される第２のキャリアガスＧ２は、酸素濃度が１体積％以下、好ましくは０．５体積％以下の低酸素濃度ガスであって、例えば窒素ガスであり、第２の乾燥機２の回転筒３の上記他端部側から供給されて一端部側から排出されるとともに、こうして排出された第２のキャリアガスＧ２は再び第２の乾燥機２の回転筒３の他端部側に循環させられる。すなわち、本実施形態においても、第２の乾燥機２の回転筒３内における第２のキャリアガスＧ２の流れは、被乾燥物Ｗの搬送方向に対向する向流となる。
【００２２】
第２の乾燥機２の回転筒３の一端部側から排出された第２のキャリアガスＧ２は、この一端部に接続された供給手段４からバグフィルタ（第２のバグフィルタ）２１に供給されて、第２のキャリアガスＧ２とともに第２の乾燥機２から排出された被乾燥物Ｗのダスト等の固形分が除塵されて回収され、回収された固形分は上記接続手段６または第２の乾燥機２の供給手段４に戻される。なお、第２の乾燥機２の供給手段４と第２のバグフィルタ２１との間に予備サイクロンを設置してもよい。また、第２のバグフィルタ２１には、低酸素濃度ガス供給源２２から上述のような低酸素濃度ガスが供給される。
【００２３】
こうして固形分が除去された第２のキャリアガスＧ２は、冷却塔２３に送られて冷却されることにより除湿された後、循環ファン２４を経て加圧され、必要に応じて他の冷却塔２５により冷却された後に、加熱器２６によって例えば４０℃程度にまで加熱されて第２の乾燥機２における回転筒３の他端部の排出手段５に供給されることにより、循環させられる。なお、図１に示すように冷却塔２３と循環ファン２４との間の供給経路にバルブ２７を介して他の低酸素濃度ガス供給源２８を接続して、必要に応じて低酸素濃度ガスを補充供給するようにしてもよい。
【００２４】
また、本実施形態では、第２の乾燥機２における回転筒３の一端部側から供給手段４に排出された第２のキャリアガスＧ２の一部は、この供給手段４から接続手段６内に流れ込むことにより、上述のように気密に保持された接続手段６内に充密されて該接続手段６をパージする。具体的には、第１の乾燥機１における排出手段５の下端部に設けられた排出スクリュウコンベア５ａから第２の乾燥機２における供給手段４までの範囲が第２のキャリアガスＧ２によってパージされる。
【００２５】
このような第２のキャリアガスＧ２に対して、第１の乾燥機１の回転筒３には、第１のキャリアガスＧ１として大気（空気）が供給される。この第１のキャリアガスＧ１は、誘引ファン１１によって常温の大気から吸引されるものであり、必要に応じてフィルタ等を介して第１の乾燥機１の供給手段４に接続された上記装入筒７から該供給手段４を通って第１の乾燥機１における回転筒３の一端部に供給され、回転筒３内を通って他端部の排出手段５から排出される。従って、本実施形態において、第１の乾燥機１の回転筒３内における第１のキャリアガスＧ１の流れは、被乾燥物Ｗの搬送方向に沿った並流となる。
【００２６】
こうして第１の乾燥機１における回転筒３の他端部から排出された第１のキャリアガスＧ１は、該他端部の排出手段５に接続されたバグフィルタ（第１のバグフィルタ）１２に供給されて、第１のキャリアガスＧ１とともに第１の乾燥機１から排出された被乾燥物Ｗのダスト等の固形分が除塵されて回収され、上記誘引ファン１１を介して大気中に排出される。なお、第１のバグフィルタ１２によって回収された固形分は接続手段６における上記移送手段等に供給される。
【００２７】
次に、このように構成された間接加熱乾燥装置により、被乾燥物Ｗとして上述のような低品位炭を乾燥する場合の本発明の乾燥方法の一実施形態について説明する。まず、被乾燥物Ｗは、前段となる第１の乾燥機１に接続された給装手段８から装入筒７を介してこの第１の乾燥機１の供給手段４に給装され、次いで供給手段４によって第１の乾燥機１の回転筒３内に一端部側から供給されて加熱管により加熱、乾燥されつつ、回転筒３の回転に伴い他端部側に搬送されて、この他端部側の排出手段５の上記排出スクリュウコンベア５ａから連続的に排出させられる。
【００２８】
また、この前段の第１の乾燥機１において被乾燥物Ｗが乾燥させられることにより蒸発した液分（水分）は、上記誘引ファン１１によって吸引されて第１の乾燥機１における回転筒３内に供給される第１のキャリアガスＧ１（大気）とともに第１の乾燥機１から排出され、上述のように第１のバグフィルタ１２よって固形分が除塵された後、大気中に排出される。本実施形態においては、この第１の乾燥機１における乾燥により被乾燥物Ｗは恒率乾燥期を経ることになり、すなわち被乾燥物Ｗの温度は略一定で水分含有率が上述のような限界含水率に向けて低下させられる。なお、こうして第１の乾燥機１において恒率乾燥させられた被乾燥物Ｗの水分含有率は、第１の乾燥機１から排出された被乾燥物Ｗの温度等を測定したり、あるいは排出された被乾燥物Ｗの水分を直接測定したりすることによって確認でき、その結果に基づいて第１の乾燥機１における加熱管への蒸気の供給量や温度を制御することなどにより、被乾燥物Ｗの水分含有率を調整することができる。
【００２９】
こうして第１の乾燥機１により乾燥させられた被乾燥物Ｗは、接続手段６を介して後段の第２の乾燥機２における供給手段４から回転筒３内に供給され、この回転等３内の加熱管によりさらに加熱されて上記限界含水率以下の水分含有率に乾燥させられるとともに、該回転筒３の回転に伴い他端側に搬送され、排出手段５により排出させられる。本実施形態においては、この第２の乾燥機２における乾燥により被乾燥物Ｗは減率乾燥期を経ることになり、すなわち被乾燥物Ｗの温度は上昇する一方、乾燥速度は恒率乾燥期よりも小さくなる。なお、この第２の乾燥機２においても、減率乾燥させられた被乾燥物Ｗの水分含有率は、排出された被乾燥物Ｗの温度等を測定したり、水分を直接測定したりすることによって確認でき、これに基づいて第２の乾燥機２における加熱管への蒸気の供給量や温度を制御することなどによって水分含有率を調整することが可能である。
【００３０】
また、第２の乾燥機２において被乾燥物Ｗから蒸発した液分（水分）は、第２のキャリアガスＧ２とともに回転筒３から排出され、第２のバグフィルタ２１によって固形分が除塵された後に冷却塔２３、２５において冷却されることにより除湿されて回収される。さらに、こうして蒸発液分が回収された第２のキャリアガスＧ２は、加熱器２６によって加熱された後に第２の乾燥機２に循環させられる。
【００３１】
上記構成の間接加熱乾燥装置および該間接加熱乾燥装置を用いた低品位炭の乾燥方法においては、前後段２段の第１、第２の乾燥機１、２を備えているので、同じ量の被乾燥物Ｗを１段の乾燥機によって乾燥するのに比べ、個々の乾燥機の大きさや回転駆動力等を小さくすることができ、設備コストや運転コストの低減を図ることができる。なお、乾燥機を３段以上としてもよい。また、上述のように被乾燥物Ｗは第２の乾燥機２において温度が上昇し、低品位炭のような可燃性物質である場合には発火のおそれがあるが、上記構成の間接加熱乾燥装置では第２の乾燥機２に供給される第２のキャリアガスＧ２が窒素ガスのような低酸素濃度ガスであるので、このように被乾燥物Ｗの温度が上昇しても発火を防止することができる。
【００３２】
その一方で、第１の乾燥機１においては被乾燥物Ｗの温度が第２の乾燥機２よりも低い略一定の温度に保持されるので、第１のキャリアガスＧ１として大気を供給しても発火のおそれは少ない。そして、この第１のキャリアガスＧ１は大気であるために第２のキャリアガスＧ２を供給する場合のような低酸素濃度ガス供給源２２、２８を必要とすることがなく、上述のように誘引ファン１１によって大気をそのまま吸引して第１の乾燥機１に供給し、また第１のバグフィルタ１２によって固形分を除去した後は、そのまま大気中に排出することができる。
【００３３】
従って、例えば特許文献１に記載された間接加熱乾燥装置のように第１、第２の乾燥機の双方にキャリアガスとして窒素ガスのような低酸素濃度ガスを供給するのに比べ、低酸素濃度ガスの供給量（循環量）を低減するとともに供給に要する設備を小型化することができる。このため、被乾燥物Ｗが低品位炭であっても上述のように発火を防いで安全に乾燥することができるとともに、間接加熱乾燥装置全体として運転に要するエネルギーや運転コスト、設備コストの低減を図ることが可能となり、効率的かつ経済的である。
【００３４】
また、本実施形態では、第１の乾燥機１における回転筒３他端部の排出手段５と、第２の乾燥機２における回転筒３一端部の供給手段４との間が、図１に示したコンベア等の移送手段、あるいはホッパー等の一時貯留手段やハンマークラッシャー等の破砕手段を備えた接続手段６によって接続されており、この接続手段６が気密に保持されるととともに第２の乾燥機２に第２のキャリアガスＧ２として供給される低酸素濃度ガスによってパージされている。このため、限界含水率に達した被乾燥物Ｗがこの接続手段６において発火するような事態も防ぐことができる。
【００３５】
特に、本実施形態の間接加熱乾燥装置では、第１、第２のキャリアガスＧ１、Ｇ２が個別の誘引ファン１１１と循環ファン２４を有する互いに独立した供給経路を経て第１、第２の乾燥機１、２にそれぞれ供給されるため、これら第１、第２のキャリアガスＧ１、Ｇ２を異なった条件で第１、第２の乾燥機１、２に供給することができる。このため、例えば第２のキャリアガスＧ２を第１のキャリアガスＧ１よりも高い圧力で供給することにより、第１の乾燥機１の排出手段５における排出スクリュウコンベア５ａから被乾燥物Ｗを接続手段６に供給するときに、大気である第１のキャリアガスＧ１が接続手段６内に流入するのを防ぐことができるので、この接続手段６や第２の乾燥機２における被乾燥物Ｗの発火を一層確実に防止することが可能となる。
【００３６】
さらに、本実施形態では、第２の乾燥機２から排出された第２のキャリアガスＧ２は、第２のバグフィルタ２１によって除塵されるとともに冷却塔２３、２５において除湿された後、加熱器２６によって加熱されて再び第２の乾燥機２に循環させられる一方、第１の乾燥機１に供給される第１のキャリアガスＧ１は大気から吸引されるとともに、この第１の乾燥機１において被乾燥物Ｗの蒸発液分を伴って排出される第１のキャリアガスＧ１は第１のバグフィルタ１２によって除塵された後に大気中に放出される。このため、低酸素濃度ガスである第２のキャリアガスＧ２の有効利用を図ることができるとともに、第１のキャリアガスＧ１は除湿や加熱を不要とすることができ、一層の運転エネルギーや運転コスト、設備コストの削減を図ることができる。
【００３７】
なお、第１、第２の乾燥機１、２は、その回転筒３内の加熱管による伝熱面積や第１、第２のキャリアガスＧ１、Ｇ２の供給量が互いに等しいものであってもよいが、後段の第２の乾燥機２での乾燥は減率乾燥期であって液分（水分）の蒸発量が少なくなるので、例えば第２の乾燥機２における加熱管の伝熱面積を第１の乾燥機１よりも小さくしたり、あるいは第２の乾燥機２に供給される第２のキャリアガスＧ２の供給量を、第１の乾燥機１に供給される第１のキャリアガスＧ１の供給量よりも少なくしたりしてもよい。このような場合には、低酸素濃度ガスよりなる第２のキャリアガスＧ２を用いた第２の乾燥機２における乾燥においても、その運転エネルギーや運転コスト、設備コストの低減を図ることができ、従って間接加熱乾燥装置全体としてもこれらのエネルギーやコストのより一層の低減を図ることができて、さらに効率的である。
【００３８】
なお、本実施形態では、第１の乾燥機１においては第１のキャリアガスＧ１の流れを被乾燥物Ｗの搬送方向に対して並流に、第２の乾燥機２においては第２のキャリアガスＧ２の流れを被乾燥物Ｗの搬送方向に対して向流になるようにしているが、第１の乾燥機１において第１のキャリアガスＧ１の流れを向流としたり、第２の乾燥機２において第２のキャリアガスＧ２の流れを並流としたりしてもよい。ただし、第１の乾燥機１においては、本実施形態のように並流とすることにより、被乾燥物Ｗの乾燥が進行する搬送方向に向けて第１のキャリアガスＧ１の水分含有率を上昇させることができて、発火等を一層効果的に防止することが可能となる。また、第２の乾燥機において第２のキャリアガスＧ２の流れを並流とする場合には、第２の乾燥機２における第２のキャリアガスＧ２の出口となる排出手段５からの経路に、図１に符号２９で示す集塵機を設けるのが望ましい。
【産業上の利用可能性】
【００３９】
以上説明したように、本発明によれば、被乾燥物が低品位炭のような可燃性物質であっても発火等を防いで安全に乾燥することができるとともに、第１の乾燥機においては低酸素濃度ガスの供給や循環を必要とすることが無くなって、間接加熱乾燥装置全体としての運転エネルギーや運転コスト、設備コストを削減することができ、効率的かつ経済的である。
【符号の説明】
【００４０】
１  第１の間接加熱型回転乾燥機
２  第２の間接加熱型回転乾燥機
３  回転筒
４  供給手段
５  排出手段
６  接続手段
１１  誘引ファン
１２  第１のバグフィルタ
２１  第２のバグフィルタ
２２、２８  低酸素濃度ガス供給源
２３、２５  冷却塔
２４  循環ファン
２６  加熱器
Ｗ  被乾燥物
Ｇ１  第１のキャリアガス
Ｇ２  第２のキャリアガス
【要約】
【課題】運転エネルギーや運転コスト、設備コストの低減を図る。
【解決手段】中心軸線回りに回転可能な回転筒３内に加熱管が配設されて、回転筒３内の一端部側に供給した被乾燥物Ｗを乾燥しつつ他端部側から排出するとともに、回転筒３内に供給されたキャリアガスによって被乾燥物Ｗから蒸発した液分を排出する、第１、第２の間接加熱型回転乾燥機１、２を備え、第１の間接加熱型回転乾燥機１における回転筒３の他端部側から排出された被乾燥物Ｗを第２の間接加熱型回転乾燥機２における回転筒３の一端部側に供給してさらに乾燥する間接加熱乾燥装置にあって、第２の間接加熱型回転乾燥機２における回転筒３内には第２のキャリアガスＧ２として低酸素濃度ガスが供給される一方、第１の間接加熱型回転乾燥機１における回転筒３内には第１のキャリアガスＧ１として大気が供給される。
【選択図】図１【図１】
0005687798.tif 000002